(57)【要約】【課題】文字の訂正に要する操作時間を短縮でき、操作性に優れる携帯端末装置を提供する。【解決手段】携帯電話機１は、文字入力のための操作部（ひらがなキーボード１１１、予測変換ウィンドウ４１１）を表示面３に表示するとともに、操作部に対するタッチ操作に応じた文字を表示面３に表示する制御部１１とを備える。操作部は、デリートキー１１３を含む。制御部１１は、デリートキー１１３に対するタッチ操作がなされると、訂正候補の文字５１２、５２２を、デリートキー１１３からのフリック操作の方向と訂正候補の文字５１２、５２２との対応付けが認識できる態様により表示面３に表示し、デリートキー１１３、１２３の位置からのフリック操作がなされると、削除されるべき文字を、フリック操作の方向に対応する訂正候補の文字５１２、５２２に置換する。【選択図】図７
2014023080.tif 000002
【特許請求の範囲】
【請求項１】
表示面と、
前記表示面に対するタッチ操作を受け付ける受付部と、
文字入力のための操作部を前記表示面に表示するとともに、前記受付部により受け付けられた前記操作部に対するタッチ操作に応じた文字を前記表示面に表示する表示制御部と、
を備え、
前記操作部は、前記表示面に表示された文字を削除するための削除キーを含み、
前記表示制御部は、
前記削除キーに対するタッチ操作が前記受付部により受け付けられると、訂正候補の文字を、タッチ位置の移動を伴うタッチ操作における前記削除キーからのタッチ位置の移動方向と当該訂正候補の文字との対応付けが認識できる態様により前記表示面に表示し、
前記訂正候補の文字が前記表示面に表示された後、前記削除キーからの前記タッチ位置の移動を伴うタッチ操作が前記受付部により受け付けられると、削除されるべき文字を、当該タッチ操作に対応する前記訂正候補の文字に置換する、
ことを特徴とする携帯端末装置。
【請求項２】
請求項１に記載の携帯端末装置において、
前記操作部は、各文字に対応する文字入力キーを含み、
前記表示制御部は、前記削除キーに対するタッチ操作の前に前記文字入力キーによって入力された文字に応じた前記訂正候補の文字を前記表示面に表示する、
ことを特徴とする携帯端末装置。
【請求項３】
請求項２に記載の携帯端末装置において、
前記表示制御部は、前記文字入力キーに対するタッチ操作のミスが生じたときに、前記削除されるべき文字に替えられやすい文字を、前記訂正候補の文字として、前記表示面に表示する、
ことを特徴とする携帯端末装置。
【請求項４】
請求項２に記載の携帯端末装置において、
前記表示制御部は、前記削除キーに対するタッチ操作の直前にタッチ操作がなされた前記文字入力キーに隣接する別の文字入力キーに対応する文字を、前記訂正候補の文字として、前記表示面に表示する、
ことを特徴とする携帯端末装置。
【請求項５】
請求項２に記載の携帯端末装置において、
前記表示制御部は、前記削除キーに対するタッチ操作の直前に入力された文字が、所定の文字入力キーに対して連続して行ったタッチ操作の回数に応じて定まるとき、当該回数の前後の回数に対応する文字を、前記訂正候補の文字として、前記表示面に表示する、
ことを特徴とする携帯端末装置。
【請求項６】
請求項２に記載の携帯端末装置において、
前記表示制御部は、前記削除キーに対するタッチ操作の直前に入力された文字が、所定の文字入力キーに対してタッチ操作を行った際に選択可能になる複数の入力候補のうちの１つであるとき、当該入力候補の文字を、前記訂正候補の文字として、前記表示面に表示する、
ことを特徴とする携帯端末装置。
【請求項７】
請求項１ないし６の何れか一項に記載の携帯端末装置において、
前記操作部は、入力された文字から変換される文字の候補が配列され、当該入力された文字に適用する候補を配列された候補の中から選択するための選択部を含み、
前記表示制御部は、前記削除キーに対するタッチ操作の前に前記選択部から選択された候補に応じた前記訂正候補の文字を前記表示面に表示する、
ことを特徴とする携帯端末装置。
【請求項８】
請求項７に記載の携帯端末装置において、
前記表示制御部は、前記選択部から選択された候補に前記選択部において隣接する候補を、前記訂正候補の文字として、前記表示面に表示する、
ことを特徴とする携帯端末装置。
【請求項９】
請求項１ないし８の何れか一項に記載の携帯端末装置において、
前記表示制御部は、前記削除キーの周囲に前記訂正候補の文字が配される態様により、前記訂正候補の文字を前記表示面に表示する、
ことを特徴とする携帯端末装置。
【請求項１０】
請求項１ないし９の何れか一項に記載の携帯端末装置において、
前記表示制御部は、
前記削除キーがタッチされた状態から前記タッチ位置の移動を伴うタッチ操作が前記受付部により受け付けられると、前記削除されるべき文字を、当該タッチ操作に対応する前記訂正候補の文字に置換し、
前記タッチ位置の移動を伴うタッチ操作がなされる前に、前記削除キーからのリリース操作が前記受付部により受け付けられると、前記削除されるべき文字を前記表示面から消去する、
ことを特徴とする携帯端末装置。
【請求項１１】
文字入力のための操作部を表示面に表示するとともに、前記操作部に対するタッチ操作に応じた文字を前記表示面に表示する携帯端末装置のコンピュータに、
前記表示面に表示された文字を削除するために前記操作部に含まれた削除キーに対するタッチ操作がなされると、訂正候補の文字を、タッチ位置の移動を伴うタッチ操作における前記削除キーからのタッチ位置の移動方向と当該訂正候補の文字との対応付けが認識できる態様により前記表示面に表示する機能と、
前記訂正候補の文字が前記表示面に表示された後、前記削除キーの位置からの前記タッチ位置の移動を伴うタッチ操作がなされると、削除されるべき文字を、当該タッチ操作に対応する前記訂正候補の文字に置換する機能と、
を付与するプログラム。
【請求項１２】
表示面に表示された操作部に対するタッチ操作によって入力され、前記表示面に表示された文字を訂正するための入力訂正方法であって、
前記表示面に表示された文字を削除するために前記操作部に含まれた削除キーに対するタッチ操作がなされると、訂正候補の文字を、タッチ位置の移動を伴うタッチ操作における前記削除キーからのタッチ位置の移動方向と当該訂正候補の文字との対応付けが認識できる態様により前記表示面に表示するステップと、
前記訂正候補の文字が前記表示面に表示された後、前記削除キーの位置からの前記タッチ位置の移動を伴うタッチ操作がなされると、削除されるべき文字を、当該タッチ操作に対応する前記訂正候補の文字に置換するステップと、
を含む入力訂正方法。
【発明の詳細な説明】
【技術分野】
【０００１】
本発明は、携帯電話機、ＰＤＡ（Personal Digital Assistant）、タブレットＰＣ（Tablet PC）、電子書籍端末等の携帯端末装置に関する。また、本発明は、かかる携帯端末装置に用いて好適なプログラムおよび入力訂正方法に関する。
【背景技術】
【０００２】
従来、タッチパネルを備えた携帯端末装置が知られている。かかる携帯端末装置では、タッチパネルにキーボードが表示される。ユーザは、キーボードに設けられた文字入力キーを押下する（タッチする）ことにより、文字を入力することができる（たとえば、特許文献１参照）。
【０００３】
キーボードには、デリートキーが設けられている。ユーザは、入力した文字を訂正する場合、デリートキーを用いて誤った文字を消去した後に、文字入力キーを用いて正しい文字を入力する。
【先行技術文献】
【特許文献】
【０００４】
【特許文献１】特開２０１０−２６３４３３号公報
【発明の概要】
【発明が解決しようとする課題】
【０００５】
上記のように文字を訂正する場合に、訂正のための操作をより短い時間で行うことが可能となれば、ユーザが、より短い時間で電子メール等の文書を作成することが可能となるので、ユーザとって便利である。
【０００６】
そこで、本発明は、文字の訂正に要する操作時間を短縮でき、操作性に優れる携帯端末装置、プログラムおよび入力訂正方法を提供することを目的とする。
【課題を解決するための手段】
【０００７】
本発明の第１の態様に係る携帯端末装置は、表示面と、前記表示面に対するタッチ操作を受け付ける受付部と、文字入力のための操作部を前記表示面に表示するとともに、前記受付部により受け付けられた前記操作部に対するタッチ操作に応じた文字を前記表示面に表示する表示制御部と、を備える。ここで、前記操作部は、前記表示面に表示された文字を削除するための削除キーを含む。さらに、前記表示制御部は、前記削除キーに対するタッチ操作が前記受付部により受け付けられると、訂正候補の文字を、タッチ位置の移動を伴うタッチ操作における前記削除キーからのタッチ位置の移動方向と当該訂正候補の文字との対応付けが認識できる態様により前記表示面に表示し、前記訂正候補の文字が前記表示面に表示された後、前記削除キーからの前記タッチ位置の移動を伴うタッチ操作が前記受付部により受け付けられると、削除されるべき文字を、当該タッチ操作に対応する前記訂正候補の文字に置換する。
【０００８】
本態様に係る携帯端末装置において、前記操作部は、各文字に対応する文字入力キーを含むような構成とされ得る。この場合、前記表示制御部は、前記削除キーに対するタッチ操作の前に前記文字入力キーによって入力された文字に応じた前記訂正候補の文字を前記表示面に表示する。
【０００９】
このような構成とした場合、さらに、前記表示制御部は、前記文字入力キーに対するタ
ッチ操作のミスが生じたときに、前記削除されるべき文字に替えられやすい文字を、前記訂正候補の文字として、前記表示面に表示するような構成とされ得る。
【００１０】
また、前記表示制御部は、前記削除キーに対するタッチ操作の直前にタッチ操作がなされた前記文字入力キーに隣接する別の文字入力キーに対応する文字を、前記訂正候補の文字として、前記表示面に表示するような構成とされ得る。
【００１１】
さらに、前記表示制御部は、前記削除キーに対するタッチ操作の直前に入力された文字が、所定の文字入力キーに対して連続して行ったタッチ操作の回数に応じて定まるとき、当該回数の前後の回数に対応する文字を、前記訂正候補の文字として、前記表示面に表示するような構成とされ得る。
【００１２】
さらに、前記表示制御部は、前記削除キーに対するタッチ操作の直前に入力された文字が、所定の文字入力キーに対してタッチ操作を行った際に選択可能になる複数の入力候補のうちの１つであるとき、当該入力候補の文字を、前記訂正候補の文字として、前記表示面に表示するような構成とされ得る。
【００１３】
本態様に係る携帯端末装置において、前記操作部は、入力された文字から変換される文字の候補が配列され、当該入力された文字に適用する候補を配列された候補の中から選択するための選択部を含むような構成とされ得る。この場合、前記表示制御部は、前記削除キーに対するタッチ操作の前に前記選択部から選択された候補に応じた前記訂正候補の文字を前記表示面に表示する。
【００１４】
このような構成とした場合、さらに、前記表示制御部は、前記選択部から選択された候補に前記選択部において隣接する候補を、前記訂正候補の文字として、前記表示面に表示する。
【００１５】
本態様に係る携帯端末装置において、前記表示制御部は、前記削除キーの周囲に前記訂正候補の文字が配される態様により、前記訂正候補の文字を前記表示面に表示するような構成とされ得る。
【００１６】
本態様に係る携帯端末装置において、前記表示制御部は、前記削除キーがタッチされた状態から前記タッチ位置の移動を伴うタッチ操作が前記受付部により受け付けられると、前記削除されるべき文字を、当該タッチ操作に対応する前記訂正候補の文字に置換し、前記タッチ位置の移動を伴うタッチ操作がなされる前に、前記削除キーからのリリース操作が前記受付部により受け付けられると、前記削除されるべき文字を前記表示面から消去するような構成とされ得る。
【００１７】
本発明の第２の態様に係るプログラムは、文字入力のための操作部を表示面に表示するとともに、前記操作部に対するタッチ操作に応じた文字を前記表示面に表示する携帯端末装置のコンピュータに、前記表示面に表示された文字を削除するために前記操作部に含まれた削除キーに対するタッチ操作がなされると、訂正候補の文字を、タッチ位置の移動を伴うタッチ操作における前記削除キーからのタッチ位置の移動方向と当該訂正候補の文字との対応付けが認識できる態様により前記表示面に表示する機能と、前記訂正候補の文字が前記表示面に表示された後、前記削除キーの位置からの前記タッチ位置の移動を伴うタッチ操作がなされると、削除されるべき文字を、当該タッチ操作に対応する前記訂正候補の文字に置換する機能と、を付与する。
【００１８】
本発明の第３の態様は、表示面に表示された操作部に対するタッチ操作によって入力され、前記表示面に表示された文字を訂正するための入力訂正方法に関する。本態様に係る
入力訂正方法は、前記表示面に表示された文字を削除するために前記操作部に含まれた削除キーに対するタッチ操作がなされると、訂正候補の文字を、タッチ位置の移動を伴うタッチ操作における前記削除キーからのタッチ位置の移動方向と当該訂正候補の文字との対応付けが認識できる態様により前記表示面に表示するステップと、前記訂正候補の文字が前記表示面に表示された後、前記削除キーの位置からの前記タッチ位置の移動を伴うタッチ操作がなされると、削除されるべき文字を、当該タッチ操作に対応する前記訂正候補の文字に置換するステップと、を含む。
【発明の効果】
【００１９】
本発明によれば、文字の訂正に要する操作時間を短縮でき、操作性に優れる携帯端末装置、プログラムおよび入力訂正方法を提供することができる。
【００２０】
本発明の効果ないし意義は、以下に示す実施形態の説明によりさらに明らかとなろう。ただし、以下の実施形態は、あくまでも、本発明を実施化する際の一つの例示であって、本発明は、以下の実施形態に記載されたものに何ら制限されるものではない。
【図面の簡単な説明】
【００２１】
【図１】実施形態に係る、携帯電話機の構成を示す図である。
【図２】実施形態に係る、携帯電話機の全体構成を示すブロック図である。
【図３】実施形態に係る、キーボードを含む文書入力画面が表示面に表示された状態を示す図である。
【図４】実施形態に係る、文字入力について説明するための図である。
【図５】実施形態に係る、文字訂正処理の処理手順を示すフローチャートである。
【図６】実施形態に係る、デリートキーがタッチされた際に表示面に表示される訂正候補画像を示す図である。
【図７】実施形態に係る、ひらがなキーボードを用いて、フリックモードにより入力された文字が訂正される場合の具体例を示す図である。
【図８】実施形態に係る、ひらがなキーボードを用いて、連続タップモードにより入力された文字が訂正される場合の具体例を示す図である。
【図９】実施形態に係る、ＱＷＥＲＴＹキーボードを用いて入力された文字が訂正される場合の具体例を示す図である。
【図１０】実施形態に係る、予測変換ウィンドウに対する選択操作により変換された文字が訂正される場合の具体例を示す図である。
【図１１】変更例に係る、訂正候補画像について説明するための図である。
【図１２】変更例に係る、訂正候補画像について説明するための図である。
【発明を実施するための形態】
【００２２】
以下、本発明の実施形態について、図面を参照して説明する。
【００２３】
図１は、携帯電話機１の構成を示す図である。図１（ａ）および（ｂ）は、それぞれ、携帯電話機１の正面図および背面図である。
【００２４】
以下、説明の便宜上、図１に示すように、キャビネット２の長手方向を上下方向と定義し、キャビネット２の短手方向を左右方向と定義する。
【００２５】
携帯電話機１は、キャビネット２と、表示面３と、マイクロフォン４と、通話スピーカ５と、キー操作部６と、外部スピーカ７とを備えている。
【００２６】
キャビネット２は、正面から見て、ほぼ長方形状を有する。キャビネット２の正面には、後述する表示部１３の表示面３が配されている。表示面３には、各種の画像（画面）が
表示される。
【００２７】
キャビネット２の内部には、下端部にマイクロフォン４が配されており、上端部に通話スピーカ５が配されている。マイクロフォン４には、キャビネット２の正面に形成されたマイク孔４ａを通じて音声が入力される。マイクロフォン４は、入力した音に応じた電気信号を生成する。通話スピーカ５からは、音声が出力される。出力された音声は、キャビネット２の正面に形成された出力孔５ａを通じて外部に放出される。
【００２８】
キャビネット２の正面には、キー操作部６が設けられている。キー操作部６は、複数の操作キーから構成されている。各操作キーには、実行中のプログラムを操作するための各種の機能が割り当てられる。
【００２９】
キャビネット２の内部には、外部スピーカ７が配されている。キャビネット２の背面には、外部スピーカ７に対応する出力孔７ａが形成されている。外部スピーカ７から出力された音（音声、報知音等）は、出力孔７ａを通じて外部に放出される。
【００３０】
図２は、携帯電話機１の全体構成を示すブロック図である。携帯電話機１は、制御部１１と、記憶部１２と、表示部１３と、タッチ検出部１４と、音声入力部１５と、音声出力部１６と、音声処理部１７と、キー入力部１８と、通信部１９とを備えている。
【００３１】
記憶部１２は、ＲＯＭ、ＲＡＭ、外部メモリー等から構成される。記憶部１２には、各種のプログラムが記憶されている。記憶部１２に記憶されるプログラムは、携帯電話機１の各部を制御するための制御プログラムの他、各種アプリケーション（たとえば、電話、電子メール、地図、ゲーム、スケジュール管理、等）を含む。プログラムは、メーカによって携帯電話機１の製造時に記憶部１２に記憶される他、ユーザによって通信網や記憶媒体を介して記憶部１２に記憶される。
【００３２】
記憶部１２には、プログラムの実行の際、一時的に利用または生成されるデータを記憶するワーキング領域も含まれる。
【００３３】
制御部１１は、ＣＰＵ等から構成されている。制御部１１は、プログラムに従って、携帯電話機１を構成する各部（記憶部１２、表示部１３、タッチ検出部１４、音声入力部１５、音声出力部１６、音声処理部１７、キー入力部１８、通信部１９等）を制御する。
【００３４】
表示部１３は、液晶ディスプレイ等から構成される。表示部１３は、制御部１１からの制御信号と画像信号に基づき、表示面３に画像（画面）を表示する。表示部１３は、液晶ディスプレイに限らず、有機ＥＬディスプレイ等、他の表示装置から構成されてもよい。
【００３５】
タッチ検出部１４は、表示面３への指の接触を検出するタッチパネル等から構成されている。タッチパネルは、透明なシート状に形成され、表示面３上を覆いキャビネット２の正面に配される。タッチパネルは、静電容量式、超音波式、感圧式、抵抗膜式、光検知式等、各種方式のタッチパネルであってよい。
【００３６】
タッチ検出部１４は、前記表示面３へのユーザによるタッチ操作を受け付ける。即ち、タッチ検出部１４は、指が触れた表示面３上の位置をタッチ位置として検出し、検出したタッチ位置に応じた位置信号を制御部１１へ出力する。
【００３７】
ユーザは、表示面３に指を触れることにより各種のタッチ操作を行うことができる。タッチ操作の種類として、タップ操作、フリック操作、スライド操作等が挙げられる。タップ操作は、表示面３に指を接触させた後、短時間のうちに離す操作である。フリック操作
は、表示面３を指で任意の方向に弾く操作である。スライド操作は、表示面３に指を接触させたまま任意の方向へ移動させる操作である。フリック操作およびスライド操作は、タッチ位置の移動を伴うタッチ操作である。
【００３８】
タッチ操作についてより具体的に説明する。たとえば、タッチ検出部１４により表示面３に対するタッチ位置が検出された後、予め定めた第１時間以内にタッチ位置が検出されなくなった場合、制御部１１によりタップ操作がなされたと判定される。タッチ検出部１４により表示面３に対するタッチ位置が検出され、予め定めた第２時間以内に予め定めた第１距離以上タッチ位置が移動した後、タッチ位置が検出されなくなった場合、制御部１１によりフリック操作がなされたと判定される。タッチ検出部１４により表示面３に対するタッチ位置が検出された後、予め定めた第２距離以上タッチ位置が移動すると、制御部１１によりスライド操作がなされたと判定される。
【００３９】
音声入力部１５は、マイクロフォン４等から構成される。音声入力部１５は、マイクロフォン４からの電気信号を音声処理部１７へ出力する。
【００４０】
音声出力部１６は、通話スピーカ５、外部スピーカ７等から構成される。音声出力部１６には、音声処理部１７からの電気信号を入力され、通話スピーカ５または外部スピーカ７から音（音声、報知音等）が出力される。
【００４１】
音声処理部１７は、音声入力部１５からの電気信号にＡ／Ｄ変換等を施し、変換後のデジタルの音声信号を制御部１１へ出力する。音声処理部１７は、制御部１１からのデジタルの音声信号にデコード処理およびＤ／Ａ変換等を施し、変換後の電気信号を音声出力部１６に出力する。
【００４２】
キー入力部１８は、キー操作部６の各操作キーが押下されたときに、押下された操作キーに応じた信号を制御部１１へ出力する。
【００４３】
通信部１９は、通話や通信を行うため、信号を変換するための回路、電波を送受信するアンテナ等を備える。通信部１９は、制御部１１から入力される通話や通信のための信号を無線信号に変換し、変換された無線信号を、アンテナを介して基地局や他の通信装置等の通信先へ送信する。さらに、通信部１９は、アンテナを介して受信した無線信号を制御部１１が処理できる形式の信号へ変換し、変換された信号を制御部１１へ出力する。
【００４４】
携帯電話機１では、電子メールの本文作成画面など、文字を入力するための画面（以下、「文字入力画面」という）にキーボードが配置される。ユーザは、キーボードを操作することにより所望の文書を入力できる。また、ユーザは、ひらがなキーボード、ＱＷＥＲＴＹキーボード等、複数のキーボードの中から、入力形式に応じたキーボードを選択し、文字入力画面に配置させることができる。
【００４５】
図３は、キーボード１１１、１２１を含む文書入力画面が表示面３に表示された状態を示す図である。
【００４６】
図３（ａ）は、ひらがなキーボード１１１を含む文書入力画面を示す。ひらがなキーボード１１１は、ひらがなを入力するための文字入力キー１１２、文字を削除するためのデリートキー１１３、その他、文書作成に係わる各種キーにより構成されている。
【００４７】
図３（ｂ）は、ＱＷＥＲＴＹキーボード１２１を含む文書入力画面を示す。ＱＷＥＲＴＹキーボード１２１は、アルファベットを入力するための文字入力キー１２２、文字を削除するためのデリートキー１２３、その他、文書作成に係わる各種キーにより構成されて
いる。
【００４８】
キーボード１１１、１２１に対するタッチ操作により入力された文字は、表示領域２１１に表示される。
【００４９】
ひらがなキーボード１１１を用いてひらがなを入力する場合、各行の各段の文字を入力するモードとして、各行に対応する文字入力キー１１２に対するタップ操作の回数（タップ回数）に応じた文字が入力される連続タップモードと、各行に対応する文字入力キー１１２へのタッチに続くフリック操作の方向に応じた文字が入力されるフリックモードとが備えられている。ユーザは、所定の操作により、所望のモードを選択できる。
【００５０】
図４は、文字入力について説明するための図である。図４には、ひらがなキーボード１１１を用いて、フリックモードにより、文字を入力する際の入力例が示されている。
【００５１】
図４（ａ）に示すように、各行に対応する文字入力キー１１２がタッチされると、制御部１１は、入力候補画像３１１を表示面３にポップアップ表示する。入力候補画像３１１は、文字入力キー１１２の周囲に配された、複数個の入力候補の文字３１２により構成される。入力候補の文字３１２には、文字入力キー１１２に対応する行の「い」段から「お」段の文字（「な」行の場合、「に」、「ぬ」、「ね」、「の」）が割り当てられる。入力候補画像３１１が表示された状態において、ユーザにより、フリック操作がなされると、フリック操作の方向に位置する入力候補の文字３１２が入力される。制御部１１は、入力された文字を表示領域２１１に表示する。文字入力キー１１２により入力された文字は、未確定文字であり、表示された文字には、未確定であることを示す下線が付される。
【００５２】
文字入力キー１１２による文字入力が終わる度に、制御部１１は、予測変換処理を行い、図４（ｂ）に示すように、予測変換ウィンドウ４１１を表示領域２１１内にポップアップ表示する。予測変換ウィンドウ４１１は、入力された未確定文字から変換可能な漢字やカタカナ等、変換候補となる文字（文字列）４１２により構成される。
【００５３】
ユーザにより、予測変換ウィンドウ４１１の一つの変換候補の文字４１２に対してタップ操作がなされ、変換候補の文字４１２が選択されると、制御部１１は、図４（ｃ）に示すように、未確定文字を変換候補の文字４１２に置き換える。変換後の文字は確定文字となり、表示領域２１１に表示された確定文字には下線は付されない。
【００５４】
ひらがなキーボード１１１を用いて、連続タップモードにより文字入力を行う場合、およびＱＷＥＲＴＹキーボード１２１を用いて文字入力を行う場合も、文字入力キー１１２、１２２により文字が入力されると、予測変換ウィンドウ４１１が表示領域２１１に表示される。予測変換ウィンドウ４１１の一つの変換候補の文字４１２が選択されることにより、未確定文字が、変換候補の文字４１２に変換されて確定される。
【００５５】
文字入力キー１１２、１２２や予測変換ウィンドウ４１１により誤った文字が入力され、表示領域２１１に誤った文字（未確定文字、確定文字）表示された場合、ユーザは、デリートキー１１３、１２３を用いて誤った文字を消去することができる。
【００５６】
さらに、本実施の形態では、ユーザは、デリートキー１１３、１２３へのタッチに続くフリック操作により、誤った文字を正しい文字に置換することができる。このような文字訂正の機能を実現するため、制御部１１は、以下に説明する文字訂正処理を実行する。
【００５７】
図５は、文字訂正処理の処理手順を示すフローチャートである。図６は、デリートキー１１３がタッチされた際に表示面３に表示される訂正候補画像５１１、５２１を示す図で
ある。図５および図６を参照して、文字訂正処理について説明する。
【００５８】
制御部１１は、キーボード１１１、１２１を用いた文字入力が行われている間、デリートキー１１３、１２３がタッチされたか否かを監視する（Ｓ１０１）。制御部１１は、デリートキー１１３、１２３がタッチされたと判定すると（Ｓ１０１：ＹＥＳ）、デリートキー１１３、１２３がタッチされる前の操作が、キーボード１１１、１２１に対するタッチ操作、または、予測変換ウィンドウ４１１に対するタッチ操作の何れであるかを判定する（Ｓ１０２）。
【００５９】
上述した通り、キーボード１１１、１２１により入力された文字は未確定状態であり、予測変換ウィンドウ４１１により変換された文字は確定状態である。制御部１１は、たとえば、入力された最後の文字が未確定状態であるか確定状態であるかにより、デリートキー１１３、１２３がタッチされる前の操作を判定する。この場合、制御部１１は、最後の文字が未確定状態であれば、前の操作がキーボード１１１、１２１に対するタッチ操作であると判定し、最後の文字が確定状態であれば、前の操作が予測変換ウィンドウ４１１に対するタッチ操作であると判定する。
【００６０】
制御部１１は、前の操作がキーボード１１１、１２１に対するタッチ操作であると判定すると（Ｓ１０２：キーボード）、図６（ａ）、（ｂ）、（ｃ）に示すような、最後の文字に応じた訂正候補画像５１１を生成し、表示面３にポップアップ表示する（Ｓ１０３）。
【００６１】
図６（ａ）に示す訂正候補画像５１１は、ユーザが、ひらがなキーボード１１１を用いて、フリックモードにより文字を入力する場合に、表示面３に表示される。図６（ｂ）に示す訂正候補画像５１１は、ユーザが、ひらがなキーボード１１１を用いて、連続タップモードにより文字を入力する場合に、表示面３に表示される。図６（ｃ）に示す訂正候補画像５１１は、ユーザが、ＱＷＥＲＴＹキーボード１２１を用いて文字を入力する場合に、表示面３に表示される。
【００６２】
訂正候補画像５１１は、デリートキー１１３、１２３の周囲に配された、複数個の訂正候補の文字５１２により構成される。本実施の形態では、デリートキー１１３、１２３が、表示面３の右端に配されているため、訂正候補の文字５１２が、デリートキー１１３、１２３の上側、下側および左側に配されている。
【００６３】
図６（ａ）の訂正候補画像５１１（ひらがなキーボード１１１、フリックモード）の場合、訂正候補の文字５１２には、最後の文字と同じ行の「あ」段から「お」段の文字が割り当てられる。たとえば、最後の文字が「に」である場合、訂正候補の文字５１２には、「な」、「に」、「ぬ」、「ね」、「の」の文字が割り当てられる。
【００６４】
図６（ｂ）の訂正候補画像５１１（ひらがなキーボード１１１、連続タップモード）の場合、訂正候補の文字５１２には、最後の文字と同じ行の最後の文字の一つ前および一つ後の文字、並びに、最後の文字の文字入力キー１１２に隣接する文字入力キー１１２における、最後の文字と同じタップ回数で入力される文字が割り当てられる。たとえば、最後の文字が「ぬ」である場合、訂正候補の文字５１２には、「ぬ」の一つ前および一つ後の文字である「に」および「ね」の文字、並びに「な」行の文字入力キー１１２に隣接する「か」行、「た」行、「や」行、「は」行の文字入力キー１１２における、「ぬ」と同じタップ回数であるの文字「く」、「つ」、「よ」、「ふ」の文字が割り当てられる。
【００６５】
なお、訂正候補の文字５１２として、最後の文字と同じタップ回数で入力される文字の代わりに、最後の文字の文字入力キー１１２に隣接する文字が割り当てられてもよい。た
とえば、最後の文字が「ぬ」である場合、「に」、「ね」、「か」、「た」、「や」、「は」の文字が割り当てられてもよい。
【００６６】
図６（ｃ）の訂正候補画像５１１（ＱＷＥＲＴＹキーボード１２１）の場合、訂正候補の文字５１２には、最後の文字の文字入力キー１２２に隣接する文字入力キー１２２の文字が割り当てられる。たとえば、最後の文字が「ｆ」である場合、訂正候補の文字５１２には、「ｒ」、「ｇ」、「ｄ」、「ｘ」、「ｃ」の文字が割り当てられる。
【００６７】
訂正候補の文字５１２は、何れも、文字入力キー１１２、１２２に対するタッチ操作のミスが生じたときに、最後の文字、即ち削除されるべき文字に替えられやすい文字であり、訂正により置き換えられる可能性が高い文字である。
【００６８】
図６（ａ）、（ｂ）、（ｃ）に示すように、デリートキー１１３、１２３からの各々の訂正候補の文字５１２への方向は、その訂正候補の文字５１２を選択するためのフリック操作の方向（図の矢印参照）を表している。
【００６９】
一方、ステップＳ１０２の処理において、制御部１１は、前の操作が予測変換ウィンドウ４１１に対するタッチ操作であると判定すると（Ｓ１０２：予測変換ウィンドウ）、予測変換ウィンドウ４１１のレイアウト、即ち、予測変換ウィンドウ４１１に含まれた変換候補の文字４１２と、これら変換候補の文字４１２の並び順を記憶部１２より取得する（Ｓ１０４）。予測ウィンドウ４１１のレイアウトは、表示領域２１１に予測変換ウィンドウ４１１が表示される際、制御部１１によって、記憶部１２に記憶される。予測変換ウィンドウ４１１の内容が更新され、レイアウトが変更される度に、新たなレイアウトが記憶部１２に記憶される。
【００７０】
制御部１１は、取得したレイアウトを参照し、図６（ｄ）に示すような、デリートキー１１３、１２３への操作前に選択された変換候補の文字４１２に応じた訂正候補画像５２１を生成し、表示面３にポップアップ表示する（Ｓ１０５）。
【００７１】
訂正候補画像５２１は、訂正候補画像５１１と同様、デリートキー１１３、１２３の周囲に配される、複数個の訂正候補の文字５２２により構成される。
【００７２】
訂正候補の文字５２２には、選択された変換候補の文字４１２に予測変換ウィンドウ４１１上で隣接する変換候補の文字４１２が割り当てられる。たとえば、図４（ｂ）のように、予測変換ウィンドウ４１１に、変換候補の文字４１２が横一列に配列されている場合には、右隣および左隣の変換候補の文字４１２が、訂正候補の文字５２２に割り当てられる。
【００７３】
訂正候補の文字５１２は、何れも、予測変換ウィンドウ４１１に対するタッチ操作のミスが生じたときに、選択された変換候補の文字４１２、即ち削除されるべき文字に替えられやすい文字であり、訂正により置き換えられる可能性が高い文字である。
【００７４】
図６（ｄ）に示すように、デリートキー１１３、１２３からの各々の訂正候補の文字５２２への方向は、その訂正候補の文字５２２を選択するためのフリック操作の方向（図の矢印参照）を表している。
【００７５】
訂正候補画像５１１、または、訂正候補画像５２１を表示すると、制御部１１は、デリートキー１１３、１２３がタッチされてから予め設定された制限時間（たとえば、１秒〜数秒程度の時間に設定）が経過したか否かを判定する（Ｓ１０５）。制限時間が経過していなければ（Ｓ１０５：ＮＯ）、制御部１１は、デリートキー１１３、１２３からユーザ
の指がリリースされたか否かを判定する（Ｓ１０６）。さらに、制御部１１は、デリートキー１１３、１２３にタッチされた状態からフリック操作がなされたか否かを判定する（Ｓ１０７）。
【００７６】
制御部１１は、制限時間が経過する前に、デリートキー１１３、１２３にタッチされた状態からフリック操作がなされたと判定すると（Ｓ１０７：ＹＥＳ）、表示領域２１１に表示された消去の対象となる文字（最後の文字、予測変換処理により変換された文字）を、フリック操作の方向に対応する訂正候補の文字５１２、５２２に置き換える（Ｓ１０８）。
【００７７】
一方、フリック操作がなされることなく、制限時間が経過するか（Ｓ１０５：ＹＥＳ）、デリートキー１１３、１２３からのリリース操作がされれば（Ｓ１０６：ＹＥＳ）、制御部１１は、表示領域２１１に表示された消去の対象となる文字を消去する（Ｓ１０９）。
【００７８】
制御部１１は、制限時間が経過するか、リリース操作もしくはフリック操作がなされれば、訂正候補画像５１１、５２１を表示面３から消去する。
【００７９】
図７は、ひらがなキーボード１１１を用いて、フリックモードにより入力された文字が訂正される場合の具体例を示す図である。
【００８０】
図７（ａ）に示すように、「私」の文字に続いて「の」の文字を入力するつもりが、入力候補の文字３１２への誤ったフリック操作により「に」の文字が入力された場合、図７（ｂ）に示すように、ユーザは、デリートキー１１３にタッチする。
【００８１】
図７（ｂ）に示すように、「な」、「に」、「ぬ」、「ね」、「の」の訂正候補の文字５１２からなる訂正候補画像５１１がデリートキー１１３の周囲に表示される。
【００８２】
図７（ｃ）に示すように、ユーザは、デリートキー１１３にタッチした状態から「の」の訂正候補の文字５１２の方向へフリック操作を行う。これにより、表示領域２１１に表示された「に」の文字が、「の」の文字に置き換えられる。
【００８３】
なお、表示された訂正候補の文字５１２の中に置き換えたい文字がない場合、図７（ｄ）に示すように、ユーザは、フリック操作を行わずにデリートキー１１３から指をリリースする。これにより、表示領域２１１に表示された「に」の文字が消去され、「私」の文字の横にカーソルが表示される。
【００８４】
図８は、ひらがなキーボード１１１を用いて、連続タップモードにより入力された文字が訂正される場合の具体例を示す図である。
【００８５】
図８（ａ）に示すように、「私」の文字に続いて「に」の文字を入力するつもりが、誤ってタップ操作を一回多く行ってしまい「ぬ」の文字が入力された場合、図８（ｂ）に示すように、ユーザは、デリートキー１１３にタッチする。
【００８６】
図８（ｂ）に示すように、「に」、「く」、「つ」、「よ」、「ふ」、「ね」の訂正候補の文字５１２からなる訂正候補画像５１１がデリートキー１１３の周囲に表示される。
【００８７】
図８（ｃ）に示すように、ユーザは、デリートキー１１３にタッチした状態から「に」の訂正候補の文字５１２の方向へフリック操作を行う。これにより、表示領域２１１に表示された「ぬ」の文字が、「に」の文字に置き換えられる。
【００８８】
図８（ｄ）に示すように、フリック操作が行われず、デリートキー１１３から指がリリースされた場合には、表示領域２１１に表示された「ぬ」の文字が消去され、「私」の文字の横にカーソルが表示される。
【００８９】
図９は、ＱＷＥＲＴＹキーボード１２１を用いて入力された文字が訂正される場合の具体例を示す図である。
【００９０】
図９（ａ）に示すように、「ａｂｃ」の文字列に続いて「ｄ」の文字を入力するつもりが、誤って右隣の文字入力キー１２２に対してタップ操作を行ってしまい「ｆ」の文字が入力された場合、図９（ｂ）に示すように、ユーザは、デリートキー１２３にタッチする。
【００９１】
図９（ｂ）に示すように、「ｒ」、「ｇ」、「ｄ」、「ｘ」、「ｃ」の訂正候補の文字５１２からなる訂正候補画像５１１がデリートキー１２３の周囲に表示される。
【００９２】
図９（ｃ）に示すように、ユーザは、デリートキー１２３にタッチした状態から「ｄ」の訂正候補の文字５１２の方向へフリック操作を行う。これにより、表示領域２１１に表示された「ｆ」の文字が、「ｄ」の文字に置き換えられる。
【００９３】
図９（ｄ）に示すように、フリック操作が行われず、デリートキー１２３から指がリリースされた場合には、表示領域２１１に表示された「ｆ」の文字が消去され、「ｃ」の文字の横にカーソルが表示される。
【００９４】
図１０は、予測変換ウィンドウ４１１に対する選択操作により変換された文字が訂正される場合の具体例を示す図である。
【００９５】
図１０（ａ）に示すように、「わたし」の文字列を「私」の文字に変換するつもりが、隣の変換候補の文字４１２に対してタップ操作を行ってしまい、「渡し」の文字に変換された場合、図１０（ｂ）に示すように、ユーザは、デリートキー１１３にタッチする。
【００９６】
図１０（ｂ）に示すように、予測変換ウィンドウ４１１において「渡し」の文字の左右に隣接する「私」の文字および「ワタシ」の文字が訂正候補の文字５２２に割り当てられた訂正候補画像５２１がデリートキー１１３の周囲に表示される。
【００９７】
図１０（ｃ）に示すように、ユーザは、デリートキー１１３にタッチした状態から「私」の訂正候補の文字５２２の方向へフリック操作を行う。これにより、表示領域２１１に表示された「渡し」の文字が、「私」の文字に置き換えられる。
【００９８】
図１０（ｄ）に示すように、フリック操作が行われず、デリートキー１１３から指がリリースされた場合には、表示領域２１１に表示された「わたし」の文字列が消去される。
【００９９】
以上説明した通り、本実施の形態によれば、デリートキー１１３、１２３がタッチされると、訂正候補の文字５１２、５２２が、訂正候補の文字５１２、５２２を選択するためのフリック操作の方向が認識できる態様にて表示され、デリートキー１１３、１２３へのタッチに続けてフリック操作が行われると、デリートキー１１３、１２３により削除されるべき文字が、フリック操作の方向に対応する訂正候補の文字５１２、５２２に置き換えられる。よって、ユーザは、誤って入力された文字を素早く正しい文字へと訂正することが可能となる。
【０１００】
さらに、本実施の形態によれば、デリートキー１１３が操作される前に最後に入力された(変換された)文字に応じて訂正候補の文字５１２が設定される。たとえば、最後の文字の文字入力キー１１２、１２２に隣接する文字入力キー１１２、１２２の文字など、文字入力キー１１２、１２２に対するタッチ操作のミスが生じたときに、最後の文字に替えられやすい文字が訂正候補の文字５１２に割り当てられる。また、予測変換ウィンドウ４１１において選択された変換候補の文字４１２に隣接する変換候補の文字４１２など、正しい変換候補の文字４１２を選択する際に誤って変換されてしまいやすい変換候補の文字４１２が、訂正候補の文字５２２に割り当てられる。
【０１０１】
よって、削除される文字が置き換えられる可能性の高い文字を、訂正候補の文字５１２、５２２として、表示面３に表示させることができるので、文字訂正の機能の活用頻度を高めることができる。
【０１０２】
さらに、本実施の形態によれば、ユーザは、置換する訂正候補の文字５１２、５２２がない場合に、フリック操作を行わずにデリートキー１１３、１２３から指をリリースすることにより、文字の置き換えを行わずに文字の削除だけを行うことができる。
【０１０３】
＜その他＞
以上、本発明の実施の形態について説明したが、本発明は、上記実施の形態によって何ら制限されるものではなく、また、本発明の実施の形態も、上記以外に種々の変更が可能である。
【０１０４】
たとえば、上記実施の形態では、デリートキー１１３（１２３）がタッチされた際、デリートキー１１３の周囲に配された訂正候補の文字５１２（５２２）により構成される訂正候補画像５１１（５２１）が表示面３に表示される。しかしながら、これに限らず、図１１示す訂正候補画像５３１および図１２に示す訂正候補画像５４１が表示される構成とされてもよい。
【０１０５】
即ち、図１１（ａ）に示すように、デリートキーを示す画像５３３と、この画像５３３の周囲に配された訂正候補の文字５３２とにより構成される訂正候補画像５３１が、デリートキー１１３（１２３）とは離れた位置に表示されるような構成とされてもよい。この場合、デリートキーを示す画像５３３から各訂正候補の文字５３２への方向が、各訂正候補の文字５３２を選択するためのフリック操作の方向となる。図１１（ｂ）に示すように、デリートキー１１３（１２３）へのタッチに続けてフリック操作がなされると、削除されるべき文字がフリック操作の方向に対応する訂正候補の文字５３２に置き換えられる。
【０１０６】
さらに、図１２（ａ）示すように、デリートキー１１３（１２３）からのフリック操作の方向を示す矢印５４３と、その矢印５４３に対応する訂正候補の文字５４２とにより構成される訂正候補画像５４１が、デリートキー１１３（１２３）とは離れた位置に表示されるような構成とされてもよい。図１２（ｂ）に示すように、デリートキー１１３（１２３）へのタッチに続けてフリック操作がなされると、削除されるべき文字がフリック操作の方向（矢印５４３）に対応する訂正候補の文字５４２に置き換えられる。
【０１０７】
このように、上記実施の形態の訂正候補画像５１１（５２１）に限らず、訂正候補の文字を、デリートキーからのフリック操作の方向（タッチ位置の移動方向）と当該訂正候補の文字との対応付けが認識できる態様により表示するような訂正候補画像が表示面３に表示されればよい。
【０１０８】
さらに、上記実施の形態によれば、デリートキー１１３（１２３）へのフリック操作がなされると、削除されるべき文字がフリック操作の方向に応じた訂正候補の文字５１２（
５２２）に置換される。しかしながら、フリック操作に替えて、あるいはフリック操作に加えて、スライド操作がなされると、削除されるべき文字がスライド操作の方向に応じた訂正候補の文字５１２（５２２）に置換される構成とされてもよい。
【０１０９】
さらに、上記実施の形態では、ひらがなキーボード１１１、ＱＷＥＲＴＹキーボード１２１による入力に本発明が適用されたが、その他のキーボード、たとえば、数字を入力するキーボードによる入力に本発明が適用されてもよい。即ち、本発明における「文字」とは、狭義の「文字」に限られるものでなく、数字、記号等をも含む広義の「文字」として解釈される。
【０１１０】
さらに、上記実施の形態では、デリートキー１１３（１２３）が、表示面３の右端に表示されているため、デリートキー１１３（１２３）の右側には表示スペースがなく、訂正候補の文字５１２が右側に配されない。しかしながら、デリートキー１１３（１２３）の上下左右の全ての方向に表示スペースがあれば、上下左右の全ての方向に訂正候補の文字５１２が配されてもよい。
【０１１１】
さらに、訂正候補画像５１１（５２１）に含まれる訂正候補の文字５１２（５２２）の個数は、上記実施の形態に示された個数に限られるものでなく、適宜、変更されて良い。
【０１１２】
さらに、上記実施の形態では、制限時間が設けられ、デリートキー１１３（１２３）がタッチされてからフリック操作が有効である時間に制限が設けられている。しかしながら、必ずしも制限時間が設けられなくてもよい。
【０１１３】
本発明は、携帯電話機に限られず、ＰＤＡ（Personal DigitalAssistant）、タブレットＰＣ（Tablet PC）、電子書籍端末等の各種の携帯端末装置に適用可能である。
【０１１４】
この他、本発明の実施形態は、特許請求の範囲に示された技術的思想の範囲内において、適宜、種々の変更が可能である。
【符号の説明】
【０１１５】
３  表示面
１１  制御部（表示制御部）
１４  タッチ検出部（受付部）
１１１  ひらがなキーボード（操作部）
１１２  文字入力キー
１２３  デリートキー（削除キー）
１２１  ＱＷＥＲＴＹキーボード（操作部）
１２１  文字入力キー
１２３  デリートキー
３１１  入力候補画像
３１２  入力候補の文字
４１１  予測変換ウィンドウ（操作部、選択部）
４１２  変換候補の文字（候補）
５１１  訂正候補画像
５１２  訂正候補の文字
５２１  訂正候補画像
５２２  訂正候補の文字
【図１】
2014023080.tif 000003
【図２】
2014023080.tif 000004
【図３】
2014023080.tif 000005
【図４】
2014023080.tif 000006
【図５】
2014023080.tif 000007
【図６】
2014023080.tif 000008
【図７】
2014023080.tif 000009
【図８】
2014023080.tif 000010
【図９】
2014023080.tif 000011
【図１０】
2014023080.tif 000012
【図１１】
2014023080.tif 000013
【図１２】
2014023080.tif 000014